(57)【要約】【課題】コンステレーションマッピング方式を用いて受信したデータフレームの種類、形式を区分することのできるデータ受信装置及びデータフレームを送信するデータ送信装置を提供する。【解決手段】データ送信装置は、第１データフレームに第１コンステレーションマッピング方式を適用するコンステレーションマッピング部と、前記第１データフレームをデータ受信装置に送信する送信部とを有し、前記データ受信装置は、前記第１データフレームを受信し、また第２コンステレーションマッピング方式が適用された第２データフレームを第２送信装置から受信し、前記第１及び第２コンステレーションマッピング方式にしたがって前記第１データフレームと前記第２データフレームとを区分することを特徴とする。【選択図】      図４
2011103654.tif 000002
【特許請求の範囲】
【請求項１】
第１データフレームに第１コンステレーションマッピング方式を適用するコンステレーションマッピング部と、
前記第１データフレームをデータ受信装置に送信する送信部とを有し、
前記データ受信装置は、前記第１データフレームを受信し、また第２コンステレーションマッピング方式が適用された第２データフレームを第２送信装置から受信し、前記第１及び第２コンステレーションマッピング方式にしたがって前記第１データフレームと前記第２データフレームとを区分することを特徴とするデータ送信装置。
【請求項２】
前記第１及び第２コンステレーションマッピング方式の各々は、前記第１及び第２データフレームの各々に対応する時間区間の間に対し相違する方式のコンステレーションを適用することを特徴とする請求項１に記載のデータ送信装置。
【請求項３】
前記第１及び第２コンステレーションマッピング方式は、ＢＰＳＫ（Ｂｉｎａｒｙ  Ｐｈａｓｅ−Ｓｈｉｆｔ  Ｋｅｙｉｎｇ）コンステレーションマッピング方式、ＱＢＰＳＫ（Ｑｕａｄｒａｔｕｒｅ  ＢＰＳＫ）コンステレーションマッピング方式、＋４５度ＢＰＳＫコンステレーションマッピング方式および−４５度ＢＰＳＫコンステレーションマッピング方式からなる群より選択される少なくとも１つを含むことを特徴とする請求項１に記載のデータ送信装置。
【請求項４】
前記第１コンステレーションマッピング方式は、前記第１データフレームに含まれた第１時間区間と第２時間区間に対して相違したコンステレーションマッピング方式を適用することを特徴とする請求項１に記載のデータ送信装置。
【請求項５】
前記第１データフレームはＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式を用いて変調し、
前記コンステレーションマッピング部は、前記第１データフレームに含まれたＯＤＦＭシンボルの複数のサブチャネルを第１サブチャネルグループと第２サブチャネルグループとにグループ化し、
前記第１コンステレーションマッピング方式は、前記第１サブチャネルグループと前記第２サブチャネルグループに対して相違したコンステレーションマッピング方式を適用させることを特徴とする請求項１に記載のデータ送信装置。
【請求項６】
前記コンステレーションマッピング部は、前記複数のサブチャネルの中で奇数番目のサブチャネルを第１サブチャネルグループにグループ化し、偶数番目のサブチャネルを第２サブチャネルグループにグループ化することを特徴とする請求項５に記載のデータ送信装置。
【請求項７】
前記コンステレーションマッピング部は前記第１サブチャネルグループに対してはＢＰＳＫコンステレーションマッピング方式を適用し、前記第２サブチャネルグループに対してはＱＢＰＳＫコンステレーションマッピング方式を適用することを特徴とする請求項５に記載のデータ送信装置。
【請求項８】
前記コンステレーションマッピング部は前記第１サブチャネルグループに対しては＋４５度ＢＰＳＫコンステレーションマッピング方式を適用し、前記第２サブチャネルグループに対しては−４５度ＢＰＳＫコンステレーションマッピング方式を適用することを特徴とする請求項５に記載のデータ送信装置。
【請求項９】
前記コンステレーションマッピング部は、前記第１データフレームの中の予め決められた時間区間に前記第１コンステレーションマッピング方式を適用することを特徴とする請求項１に記載のデータ送信装置。
【請求項１０】
前記コンステレーションマッピング部は、前記第１コンステレーションマッピング方式が適用される時間区間を変更することを特徴とする請求項１に記載のデータ送信装置。
【請求項１１】
第１コンステレーションマッピング方式が適用された第１データフレームを受信し、また第２コンステレーションマッピング方式が適用された第２データフレームを受信する受信部と、
前記第１及び第２データフレームに適用されたコンステレーションマッピング方式を判断する判断部と、
前記判断部の判断にしたがって前記第１フレームと前記第２フレームとを区分するフレーム区分部とを有することを特徴とするデータ受信装置。
【請求項１２】
前記第１及び第２コンステレーションマッピング方式は、前記第１及び第２データフレームの各々に対応する時間区間の間に対し相違する方式のコンステレーションを適用することを特徴とする請求項１１に記載のデータ受信装置。
【請求項１３】
前記判断部は前記第１及び第２データフレームに対するデシジョンメトリック（ｄｅｃｉｓｉｏｎ  ｍｅｔｒｉｃ）をそれぞれ生成し、前記それぞれのデシジョンメトリックを所定の閾値と比較して前記コンステレーションマッピング方式を判断することを特徴とする請求項１１に記載のデータ受信装置。
【請求項１４】
前記判断部は、前記第１及び第２データフレームの実数部の値と前記第１及び第２データフレームの虚数部の値とを加算して前記デシジョンメトリックを生成することを特徴とする請求項１３に記載のデータ受信装置。
【請求項１５】
前記判断部は、前記第１及び第２データフレームの実数部の値と前記第１及び第２データフレームの虚数部の値とを減算して前記デシジョンメトリックを生成することを特徴とする請求項１３に記載のデータ受信装置。
【発明の詳細な説明】
【技術分野】
【０００１】
本発明はデータ受信装置及びデータ送信装置に関し、特に、コンステレーションマッピング方式を用いて受信したデータフレームの種類、形式を区分することのできるデータ受信装置及びデータフレームを送信するデータ送信装置に関する。
【背景技術】
【０００２】
データスループット（ｔｈｒｏｕｇｈｐｕｔ）は無線通信の重要な関心事の中の１つである。特に、近距離通信網の場合、ユーザ数の増加および音声／ビデオストリーミングなど、様々なアプリケーションの拡大などに応じてスループットの向上がさらに重要な問題点となっている。
【０００３】
また、スループットの向上のためにさらに進歩したデータの送信標準が提示されている。新しく提示されたデータの送信標準は、従来におけるデータの送信標準によるデータ送信装置およびデータ受信装置との共存（ｃｏｅｘｉｓｔｅｎｃｅ）、相互運用性（ｉｎｔｅｒｏｐｅｒａｂｉｌｉｔｙ）を保証しなければならない。
【０００４】
したがって、新しく提示されたデータの送信標準によるデータ受信装置は、既存のデータの送信標準によるデータ送信装置および新しく提示されたデータの送信標準によるデータ送信装置から全てのデータフレームを受信し、受信したデータフレームがいずれのデータの送信標準によるデータ送信装置から受信したデータフレームであるかを判断しなければならないという問題がある。
【発明の概要】
【発明が解決しようとする課題】
【０００５】
そこで、本発明は上記従来のデータ送信装置及びデータ受信装置における問題点に鑑みてなされたものであって、本発明の目的は、コンステレーションマッピング方式を用いて受信したデータフレームの種類、形式を区分することのできるデータ受信装置及びデータフレームを送信するデータ送信装置を提供することにある。
【課題を解決するための手段】
【０００６】
上記目的を達成するためになされた本発明によるデータ送信装置は、第１データフレームに第１コンステレーションマッピング方式を適用するコンステレーションマッピング部と、前記第１データフレームをデータ受信装置に送信する送信部とを有し、前記データ受信装置は、前記第１データフレームを受信し、また第２コンステレーションマッピング方式が適用された第２データフレームを第２送信装置から受信し、前記第１及び第２コンステレーションマッピング方式にしたがって前記第１データフレームと前記第２データフレームとを区分することを特徴とする。
【０００７】
上記目的を達成するためになされた本発明によるデータ受信装置は、第１コンステレーションマッピング方式が適用された第１データフレームを受信し、また第２コンステレーションマッピング方式が適用された第２データフレームを受信する受信部と、前記第１及び第２データフレームに適用されたコンステレーションマッピング方式を判断する判断部と、前記判断部の判断にしたがって前記第１フレームと前記第２フレームとを区分するフレーム区分部とを有することを特徴とする。
【発明の効果】
【０００８】
本発明に係るデータ受信装置及びデータ送信装置よれば、データ受信装置が受信したデータフレームの種類及び形式を区分することができるという効果がある。
【図面の簡単な説明】
【０００９】
【図１】（ａ）は本発明の一実施形態に係るＢＰＳＫコンステレーションマッピング方式を示す図であり、（ｂ）はＱＢＰＳＫコンステレーションマッピング方式を示す図である。
【図２】本発明の一実施形態に係るオルタナティブ（ａｌｔｅｒｎａｔｉｖｅ）コンステレーションマッピング方式の一例を示す図であり、（ａ）は同一のデータシンボルを構成する複数のサブチャネルを示す図であり、（ｂ）はＱＢＰＳＫコンステレーションマッピング方式を示す図であり、（ｃ）はＢＰＳＫコンステレーションマッピング方式を示す図である。
【図３】（ａ）は本発明の一実施形態に係るデータシンボルの値に応じて、実数軸と＋４５度の角度を有する軸上の二点のうちの１つにデータシンボルがマッピングされる対角コンステレーションマッピング方式の一例を示す図であり、（ｂ）は本発明の一実施形態に係るデータシンボルの値に応じて実数軸と−４５度の角度を有する軸上の二点のうちの１つにデータシンボルがマッピングされる対角コンステレーションマッピング方式を示す図である。
【図４】本発明の一実施形態に係るデータフレームの構造を示す図である。
【図５】本発明の一実施形態に係るデータ送信装置の構造を示すブロック図である。
【図６】本発明の一実施形態に係るデータ受信装置の構造を示すブロック図である。
【図７】本発明の一実施形態に係るデータフレーム区分方法をステップ別に示すフローチャートである。
【発明を実施するための形態】
【００１０】
次に、本発明に係るデータ受信装置及びデータ送信装置を実施するための形態の具体例を図面を参照しながら説明する。ただし、本発明が実施形態によって制限されたり限定されることはない。各図面に提示した同一の参照符号は同一の部材を示す。
【００１１】
図１は、本発明の一実施形態に係るコンステレーションマッピング方式の例を示す図である。
【００１２】
図１の（ａ）は、ＢＰＳＫコンステレーションマッピング方式を示す図である。
図１（ａ）を参照すると、ＢＰＳＫコンステレーションマッピング方式では、データシンボルの値に応じて複素平面の実数軸上の二点のうちの１つにデータシンボルがマッピングされる。同図において、データシンボルの値に応じて複素平面上の「＋１」または「−１」にデータシンボルがマッピングされる。
【００１３】
図１の（ｂ）は、ＱＢＰＳＫコンステレーションマッピング方式を示す図である。
図１（ｂ）を参照すると、ＱＢＰＳＫコンステレーションマッピング方式では、データシンボルの値に応じて複素平面上の虚数軸上の二点のうちの１つにデータシンボルがマッピングされる。同図において、データシンボルの値に応じて複素平面上の「＋ｊ」または「−ｊ」にデータシンボルがマッピングされる。
【００１４】
図２は、本発明の一実施形態に係るオルタナティブ（ａｌｔｅｒｎａｔｉｖｅ）コンステレーションマッピング方式の一例を示す図である。
【００１５】
本実施形態によれば、データシンボルは、ＯＦＤＭ方式（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  ｓｃｈｅｍｅ）を用いて変調するのが好ましい。ＯＦＤＭ方式によれば、データシンボルは複数のサブチャネル（ｓｕｂ−ｃａｒｒｉｅｒｓ）を用いて変調される。
【００１６】
ＡＢＰＳＫ（Ａｌｔｅｒｎａｔｉｖｅ  ＢＰＳＫ）コンステレーションマッピング方式を適用する場合、同一のデータシンボルを構成する各サブチャネルに対して相違するコンステレーション方式が適用される。すなわち、同一のデータシンボルを構成する一部のサブチャネルに対しては第１コンステレーションマッピング方式が適用され、他の一部のサブチャネルに対しては第２コンステレーションマッピング方式が適用される。
【００１７】
図２の（ａ）は、同一のデータシンボルを構成する複数のサブチャネルを示す図であり、横軸は周波数帯域を示す。一実施形態によれば、複数のサブチャネルの中で、一部のサブチャネル２１０は図２の（ｂ）に示したＱＢＰＳＫコンステレーションマッピング方式が適用されてもよく、他の一部のサブチャネル２２０は図２の（ｃ）に示したＢＰＳＫコンステレーションマッピング方式が適用されてもよい。例えば、奇数番目のサブチャネル２１０はＱＢＰＳＫコンステレーションマッピング方式が適用されてもよく、偶数番目のサブチャネル２２０はＢＰＳＫコンステレーションマッピング方式が適用されてもよい。
【００１８】
図２（ａ）〜（ｃ）には同一のシンボルを構成する複数のサブチャネルの中で奇数番目のサブチャネルと偶数番目のサブチャネルに相違するコンステレーションマッピング方式が適用された実施形態を示すが、実施に対応して、データ送信装置は各コンステレーションマッピング方式が適用されるサブチャネルのインデックスを変更してもよい。
【００１９】
また、図２（ａ）〜（ｃ）において、同一のシンボルを構成する複数のサブチャネルに対して相違するコンステレーション方式が適用される実施形態を示したが、本発明の他の実施形態として、データ送信装置はデータフレームの予め決められた時間区間内で相違するコンステレーション方式を適用し、データ受信装置は前記予め決められた時間区間に適用されたコンステレーション方式を判断してデータフレームを区分することができる。
【００２０】
図３は、本発明の一実施形態に係る対角コンステレーションマッピング方式の一例を示す図である。
【００２１】
図３の（ａ）は、データシンボルの値に応じて、実数軸と「＋４５度」の角度を有する軸上の二点のうちの１つにデータシンボルがマッピングされる対角コンステレーションマッピング方式の一例を示す図である。
データシンボルがマッピングされる軸が実数軸と「＋４５度」の角を有するため、同図に示すコンステレーションマッピング方式は「＋４５度ＢＰＳＫコンステレーションマッピング方式」といってもよい。同図では、データシンボルの値に応じて複素平面上の「１＋ｊ」又は「−１−ｊ」にデータシンボルがマッピングされる実施形態を示したが、他の実施形態として、データシンボルは対角線上の他の位置にマッピングされてもよい。
【００２２】
図３の（ｂ）は、データシンボルの値に応じて実数軸と「−４５度」の角度を有する軸上の二点のうちの１つにデータシンボルがマッピングされる対角コンステレーションマッピング方式の更なる一例を示す図である。
データシンボルがマッピングされる軸が実数軸と「−４５度」の角を有するため、同図に示すコンステレーションマッピング方式は簡単に「−４５度ＢＰＳＫコンステレーションマッピング方式」といってもよい。同図では、データシンボルの値に応じて複素平面上の「−１＋ｊ」又は「１−ｊ」にデータシンボルがマッピングされる実施形態を示したが、他の実施形態として、データシンボルは対角線上の他の位置にマッピングされてもよい。
【００２３】
図には示していないが、図３（ａ）に示す「＋４５度ＢＰＳＫコンステレーションマッピング方式」と図３（ｂ）に示す「−４５度ＢＰＳＫコンステレーションマッピング方式」を用いたＡＢＰＳＫコンステレーション方式を用いてもよい。
すなわち、同一のデータシンボルを構成する複数のサブチャネルの中で一部は「＋４５度ＢＰＳＫコンステレーションマッピング方式」が適用され、他の一部は「−４５度ＢＰＳＫコンステレーションマッピング方式」が適用されてもよい。この実施形態に従えば、奇数番目のサブチャネルには「＋４５度ＢＰＳＫコンステレーションマッピング方式」が適用され、偶数番目のサブチャネルには「−４５度ＢＰＳＫコンステレーションマッピング方式」が適用され、また、その逆も可能である。
【００２４】
図４は、本発明の一実施形態に係るデータフレームの構造を示す図である。
【００２５】
図４には、３つのデータフレーム４１０、４２０、４３０を示す。
第１データフレーム４１０は、８０２．１１ａ標準によるレガシー（ｌｅｇａｃｙ）データフレームであり、第２データフレーム４２０は、８０２．１１ｎ標準によるＨＴ（ｈｉｇｈ  ｔｈｒｏｕｇｈｐｕｔ）−ｍｉｘｅｄデータフレームである。また、第３データフレーム４３０は、８０２．１１ａｃ標準で利用可能なＶＨＴ（ｖｅｒｙ  ｈｉｇｈ  ｔｈｒｏｕｇｈｐｕｔ）−ｍｉｘｅｄデータフレームである。
【００２６】
レガシーデータフレームであるデータフレーム４１０は、Ｌ−ＳＴＦ（４１１）、Ｌ−ＬＴＦ（４１２）、Ｌ−ＳＩＧ（４１３）、及びデータフィールド（４１５）を含む。
Ｌ−ＳＴＦ（４１１）はレガシーショットトレーニングフィールド（Ｌｅｇａｃｙ  Ｓｈｏｒｔ  Ｔｒａｉｎｉｎｇ  Ｆｉｅｌｄ；Ｌ−ＳＴＦ）を、Ｌ−ＬＴＦ（４１２）はレガシーロングトレーニングフィールド（Ｌｅｇａｃｙ  Ｌｏｎｇ  Ｔｒａｉｎｉｎｇ  Ｆｉｅｌｄ；Ｌ−ＬＴＦ）を、Ｌ−ＳＩＧ（４１３）はレガシー信号フィールド（Ｌｅｇａｃｙ  ＳＩＧｎａｌ  ｆｉｅｌｄ）を示す。
【００２７】
ＨＴ−ｍｉｘｅｄデータフレームであるデータフレーム４２０は、Ｌ−ＳＴＦ（４２１）、Ｌ−ＬＴＦ（４２２）、Ｌ−ＳＩＧ（４２３）、ＨＴ−ＳＩＧ１（４２４）、ＨＴ−ＳＩＧ２（４２５）、ＨＴ−ＳＴＦ（４２６）、及びＨＴ−ＬＴＦ（４２７）を含む。
ＨＴ−ＳＩＧ１（４２４）、ＨＴ−ＳＩＧ２（４２５）は、ハイスループット信号フィールド（Ｈｉｇｈ  Ｔｈｒｏｕｇｈｐｕｔ  ＳＩＧｎａｌ  ｆｉｅｌｄ）を示し、ＨＴ−ＳＴＦ（４２６）は、ハイスループットショットトレーニングフィールド（Ｈｉｇｈ  Ｔｈｒｏｕｇｈｐｕｔ  Ｓｈｏｒｔ  Ｔｒａｉｎｉｎｇ  Ｆｉｅｌｄ）を、ＨＴ−ＬＴＦ（４２７）はハイスループットロングトレーニングフィールド（Ｈｉｇｈ  Ｔｈｒｏｕｇｈｐｕｔ  Ｌｏｎｇ  Ｔｒａｉｎｉｎｇ  Ｆｉｅｌｄ）を示す。
【００２８】
ＨＴ−ｍｉｘｅｄデータフレームであるデータフレーム４２０は、一例として８０２．１１ｎ標準によるデータ受信装置に高速のデータ送信サービスを提供するためには、ＨＴ−ＳＩＧ１（４２４）、ＨＴ−ＳＩＧ２（４２５）、ＨＴ−ＳＴＦ（４２６）、及びＨＴ−ＬＴＦ（４２７）を含み、８０２．１１ａ標準によるデータ受信装置にデータ送信サービスを提供するためには、Ｌ−ＳＴＦ（４２１）、Ｌ−ＬＴＦ（４２２）、Ｌ−ＳＩＧ（４２３）を含む。
【００２９】
８０２．１１ｎ標準によるデータ受信装置は、８０２．１１ａ標準によるデータ送信装置及び８０２．１１ｎ標準によるデータ送信装置と相互運用可能（ｉｎｔｅｒｏｐｅｒａｂｌｅ）である。８０２．１１ｎ標準によるデータ受信装置がレガシーデータフレームであるデータフレーム４１０を受信した場合、データ受信装置は、８０２．１１ａ標準にしたがってレガシーデータフレームであるデータフレーム４１０を復号化してもよい。
【００３０】
また、８０２．１１ｎ標準によるデータ受信装置がＨＴ−ｍｉｘｅｄデータフレームであるデータフレーム４２０を受信した場合、データ受信装置は８０２．１１ｎ標準にしたがって、ＨＴ−ｍｉｘｅｄデータフレームであるデータフレーム４２０を復号化してもよい。
【００３１】
一実施形態として、８０２．１１ｎ標準によるデータ送信装置は、ＨＴ−ｍｉｘｅｄデータフレームのＬ−ＳＩＧ（４２３）にはＢＰＳＫコンステレーションマッピング方式を適用して、ＨＴ−ＳＩＧ１（４２４）にはＱＢＰＳＫコンステレーションマッピング方式を適用してもよい。
【００３２】
８０２．１１ｎ標準によるデータ受信装置は、Ｌ−ＳＩＧ（４２３）に適用されたコンステレーションマッピング方式、及びＨＴ−ＳＩＧ１（４２４）に適用されたコンステレーションマッピング方式に基づいて、ＨＴ−ｍｉｘｅｄデータフレームであるデータフレーム４２０が８０２．１１ｎ標準によるデータフレームであるかどうかを判断する。
データ受信装置は、第２データフレームがどのような標準にしたがうかを判断するために、ＨＴ−ｍｉｘｅｄデータフレームの全てを復号化する必要がない。したがって、データ受信装置は、ＨＴ−ｍｉｘｅｄデータフレームの一部だけを復号化し、ＨＴ−ｍｉｘｅｄデータフレームに適用された標準を迅速に判断することができる。
【００３３】
ＶＨＴ−ｍｉｘｅｄデータフレームであるデータフレーム４３０は、Ｌ−ＳＴＦ（４３１）、Ｌ−ＬＴＦ（４３２）、Ｌ−ＳＩＧ（４３３）、ＶＨＴ−ＳＩＧ１（４３４）、ＶＨＴ−ＳＩＧ２（４３７）、ＶＨＴ−ＬＴＦ（４３５、４３６）、及びデータフィールド４３８を含む。
ＶＨＴ−ＳＩＧ１（４３４）、ＶＨＴ−ＳＩＧ２（４３７）は、ベリーハイスループット信号フィールド（Ｖｅｒｙ  Ｈｉｇｈ  Ｔｈｒｏｕｇｈｐｕｔ  ＳＩＧｎａｌ  ｆｉｅｌｄ）を示し、ＶＨＴ−ＬＴＦ（４３５、４３６）は、ベリーハイスループットロングトレーニングフィールド（Ｈｉｇｈ  Ｔｈｒｏｕｇｈｐｕｔ  Ｌｏｎｇ  Ｔｒａｉｎｉｎｇ  Ｆｉｅｌｄ）を意味する。
【００３４】
一実施形態として、８０２．１１ａｃ標準によるデータ送信装置は、ＶＨＴ−ＳＩＧ１（４３４）にＡＢＰＳＫコンステレーションマッピング方式を適用してもよい。
ＡＢＰＳＫコンステレーションマッピング方式に対しては既に図２〜図３を参照して詳細に説明したため、その説明は省略することにする。
【００３５】
８０２．１１ａｃ標準によるデータ受信装置は、ＶＨＴ−ＳＩＧ１（４３４）に適用されたコンステレーションマッピング方式にしたがってＶＨＴ−ｍｉｘｅｄデータフレームが８０２．１１ａｃ標準によるデータフレームであるかどうかを判断する。
【００３６】
本実施形態に従う、データ受信装置は、レガシーデータフレームであるデータフレーム４１０、ＨＴ−ｍｉｘｅｄデータフレームであるデータフレーム４２０、ＶＨＴ−ｍｉｘｅｄデータフレームであるデータフレーム４３０の各々に対応するフィールドをメトリック（ｍｅｔｒｉｃ）領域４４０に設定し、メトリック領域４４０に適用されたコンステレーションマッピング方式にしたがって各データフレームに適用された標準を区分する。
【００３７】
各データフレーム４１０、４２０、４３０がＯＦＤＭ方式を用いて変調した場合に、データ受信装置は各データフレーム４１０、４２０、４３０に対するデシジョンメトリック（ｄｅｃｉｓｉｏｎ  ｍｅｔｒｉｃ）を生成し、生成したデシジョンメトリックを用いて各データフレーム４１０、４２０、４３０を区分する。
本実施形態に従う、データ受信装置は、以下の式（１）を用いてデータフレーム４１０、４２０、４３０に対するメトリックをそれぞれ生成し、生成されたメトリックに基づいて各データフレーム４１０、４２０、４３０に対するデシジョンメトリックを生成する。
【００３８】
【数１】
2011103654.tif 000003
・・・式（１）
ここで、ＳＲは各データフレームの実数軸を用いるサブチャネルの集合であり、ＳＩは各データフレームの虚数軸を用いるサブチャネルの集合である。
【００３９】
また、他の実施形態に従う、データ受信装置は、データフレームの中で一部を互いに加算的（ｃｏｎｓｔｒｕｃｔｉｖｅ）に結合するか、相殺的（ｄｅｓｔｒｕｃｔｉｖｅ）に結合してメトリックを生成する。
【００４０】
データ受信装置は、式（１）において算出された各メトリックに基づいて以下の式（２）に基づいてデシジョンメトリックを生成する。
【００４１】
【数２】
2011103654.tif 000004
・・・式（２）
【００４２】
上述したように、レガシーデータフレームであるデータフレーム４１０のメトリック領域４４０にＢＰＳＫコンステレーションマッピング方式が適用され、ＨＴ−ｍｉｘｅｄデータフレームであるデータフレーム３２０のメトリック領域（ＨＴ−ＳＩＧ１（４２４））にＱＢＰＳＫコンステレーションマッピング方式が適用され、ＶＨＴ−ｍｉｘｅｄデータフレームであるデータフレーム４３０のメトリック領域（ＶＨＴ−ＳＩＧ１（４３４））にＡＢＰＳＫコンステレーションマッピング方式が適用される場合、式（２）によって算出されたデシジョンメトリックの値は下記の表１の通りである。
【００４３】
【表１】
2011103654.tif 000005
【００４４】
表１を参照すると、レガシーデータフレームであるデータフレーム４１０の第１デシジョンメトリック（Ｓｕｍ＿Ｍｅｔ１）は「０」であり、第２デシジョンメトリック（Ｓｕｍ＿Ｍｅｔ２）は「０」から所定の（＋）値の間の値である。
【００４５】
ＨＴ−ｍｉｘｅｄデータフレームであるデータフレーム４２０の第１デシジョンメトリック（Ｓｕｍ＿Ｍｅｔ１）は「０」であり、第２デシジョンメトリック（Ｓｕｍ＿Ｍｅｔ２）は「０」から所定の（−）値の間の値である。
【００４６】
ＶＨＴ−ｍｉｘｅｄデータフレームであるデータフレーム４３０の第１デシジョンメトリック（Ｓｕｍ＿Ｍｅｔ１）は「０」以上の（＋）値であり、第２デシジョンメトリック（Ｓｕｍ＿Ｍｅｔ２）は「０」である。
【００４７】
データ受信装置は、下記の表２に示したアルゴリズムにしたがって受信したデータフレームを区分してもよい。
【００４８】
【表２】
2011103654.tif 000006
【００４９】
表２によると、データ受信装置は、第１デシジョンメトリック（Ｓｕｍ＿Ｍｅｔ１）と第１閾値とを比較する。第１デシジョンメトリック（Ｓｕｍ＿Ｍｅｔ１）の値が第１閾値よりも大きい場合、データ受信装置は受信されたデータフレームが８０２．１１ａｃ標準によるＶＨＴ−ｍｉｘｅｄデータフレームであると判断する。
【００５０】
第１デシジョンメトリック（Ｓｕｍ＿Ｍｅｔ１）の値が第１閾値よりも小さくて、第２デシジョンメトリック（Ｓｕｍ＿Ｍｅｔ２）の値が第２閾値よりも大きい場合、データ受信装置は受信されたデータフレームが８０２．１１ａ標準によるレガシーデータフレームであると判断する。
【００５１】
第１デシジョンメトリック（Ｓｕｍ＿Ｍｅｔ１）の値が第１閾値よりも小さくて、第２デシジョンメトリック（Ｓｕｍ＿Ｍｅｔ２）の値が第２閾値よりも小さい場合、データ受信装置は受信されたデータフレームが８０２．１１ｎ標準によるＨＴ−ｍｉｘｅｄデータフレームであると判断する。
【００５２】
一実施形態として、データ受信装置は以下の式（３）よって第１閾値（ｔｈｒｅｓｈｏｌｄ  １）と第２閾値（ｔｈｒｅｓｈｏｌｄ  ２）を決定する。
【００５３】
（数３）
Ｔｈｒｅｓｈｏｌｄ１＝Ｂｉｇ（＋）／２
Ｔｈｒｅｓｈｏｌｄ２＝Ｂｉｇ（−）／２            ・・・式（３）
【００５４】
上記、式（１）〜式（３）を参照して、本発明の一実施形態に係るデータフレーム区分方法を説明した。また、データフレーム区分アルゴリズムの各ステップにおいて、各閾値はデータフレームのメトリックの中でその値の差が最小になる２つの値の中間値と設定してもよい。
【００５５】
図５は、本発明の一実施形態に係るデータ送信装置の構造を示すブロック図である。
データ送信装置５００は、コンステレーションマッピング部５１０および送信部５２０を含む。
【００５６】
コンステレーションマッピング部５１０は、第１データフレームに第１コンステレーションマッピング方式を適用する。一実施形態として、第１コンステレーションマッピング方式はＢＰＳＫコンステレーションマッピング方式、ＱＢＰＳＫコンステレーションマッピング方式、及び＋４５度ＢＰＳＫコンステレーションマッピング方式、−４５度ＢＰＳＫコンステレーションマッピング方式、そしてＡＢＰＳＫコンステレーションマッピング方式の中からの少なくとも１つを含む。各コンステレーションマッピング方式に対しては既に図１〜図３において詳細に説明したため、以下で詳しい説明は省略することにする。
【００５７】
一実施形態として、第１データフレームはＯＦＤＭ方式を用いて変調する。この場合、第１データフレームに含まれた各データシンボルもＯＦＤＭに変調される。ＡＢＰＳＫコンステレーションマッピング方式では、同一のデータシンボルを構成する各サブチャネルに対して異なるコンステレーション方式が適用される。一実施形態として、第１データフレームにはＡＢＰＳＫコンステレーションマッピング方式が適用される。
【００５８】
コンステレーションマッピング部５１０は、第１データフレームに含まれたＯＦＤＭシンボルを構成する複数のサブチャネルを第１サブチャネルグループと第２サブチャネルグループにグループ化し、第１サブチャネルグループと第２サブチャネルグループに対して相違するコンステレーションマッピング方式を適用する。
【００５９】
一実施形態として、コンステレーションマッピング部５１０は、第１サブチャネルグループに対してはＢＰＳＫコンステレーションマッピング方式、第２サブチャネルグループに対してはＱＢＰＳＫコンステレーションマッピング方式を適用するＡＢＰＳＫコンステレーションマッピング方式を適用する。
【００６０】
また、他の実施形態として、コンステレーションマッピング部５１０は、第１サブチャネルグループに対しては「＋４５度ＢＰＳＫコンステレーションマッピング方式」、第２サブチャネルグループに対しては「−４５度ＢＰＳＫコンステレーションマッピング方式」を適用するＡＢＰＳＫコンステレーションマッピング方式を適用してもよい。
【００６１】
一実施形態として、コンステレーションマッピング部５１０は、第１データフレームの中で一部の時間区間にだけ第１コンステレーションマッピング方式を適用する。第１データフレームと第２データフレームで各コンステレーションマッピング方式が適用された時間区間は互いに同一である。
【００６２】
送信部５２０は、第１コンステレーションマッピング方式が適用された第１データフレームをデータ受信装置５４０に送信する。
【００６３】
データ受信装置５４０は、第１コンステレーションマッピング方式が適用された第１データフレームを受信し、第２コンステレーションマッピング方式が適用された第２データフレームを受信する。
【００６４】
データ受信装置５４０は、特定の時間区間に対して各データフレームに適用されたコンステレーションマッピング方式を判断する。各データフレームに適用されたコンステレーションマッピング方式が相違する場合、データ受信装置５４０は、コンステレーションマッピング方式にしたがって各データフレームを区分する。
【００６５】
データ受信装置５４０は、各データフレームに適用されたコンステレーションマッピング方式を判断し、コンステレーションマッピング方式にしたがって各データフレームを区分する。
【００６６】
例えば、第１データフレームにＢＰＳＫコンステレーションマッピング方式が適用された場合、データ受信装置５４０は、第１データフレームを８０２．１１ａ標準によるレガシーデータフレームに区分する。
【００６７】
また、第２データフレームにＱＢＰＳＫコンステレーションマッピング方式が適用された場合、データ受信装置５４０は第２データフレームを８０２．１１ｎ標準によるＨＴ−ｍｉｘｅｄデータフレームに区分する。第３データフレームにＡＢＰＳＫコンステレーションマッピング方式が適用された場合、データ受信装置５４０は第３データフレームを８０２．１１ａｃ標準によるＶＨＴ−ｍｉｘｅｄデータフレームに区分する。
【００６８】
一実施形態として、各データフレームの中でコンステレーションマッピング方式が適用された時間区間は、チャネル環境、データ受信装置５４０の要求などに応じて変更され得る。
【００６９】
図６は、本発明の一実施形態に係るデータ受信装置の構造を示すブロック図である。
データ受信装置６００は、受信部６１０、判断部６２０およびフレーム識別部６３０を含む。
【００７０】
受信部６１０は、第１コンステレーションマッピング方式が適用された第１データフレームを受信し、第２コンステレーションマッピング方式が適用された第２データフレームを受信する。一実施形態として、第１コンステレーションマッピング方式または第２コンステレーションマッピング方式は、ＢＰＳＫコンステレーションマッピング方式、ＱＢＰＳＫコンステレーションマッピング方式、＋４５度ＢＰＳＫコンステレーションマッピング方式、及び−４５度ＢＰＳＫコンステレーションマッピング方式の中からの少なくとも１つを含む。
【００７１】
各コンステレーションマッピング方式に対しては図１〜図３で詳細に説明したため、詳しい説明は省略することにする。
【００７２】
一実施形態として、第１データフレームと第２データフレームの中の同一の時間区間、または対応する時間区間の間に第１コンステレーションマッピング方式および第２コンステレーションマッピング方式が適用される。第１コンステレーションマッピング方式と第２コンステレーションマッピング方式は互いに相違する。
【００７３】
判断部６２０は、各データフレームに適用されたコンステレーションマッピング方式を判断する。
一実施形態として、判断部６２０は各データフレームに対してデシジョンメトリックを個別に生成し、生成されたデシジョンメトリックを所定の閾値と比較して各データフレームに適用されたコンステレーションマッピング方式を判断する。
【００７４】
一実施形態として、各データフレームはＯＦＤＭ方式を用いて変調する。この場合、判断部６２０は、式（１）〜式（３）を参照して上述したように、データフレームの一部を互いに加算的に結合したり相殺的に結合してメトリックを生成する。判断部６２０は、生成されたメトリックを組み合わせてデシジョンメトリックを生成し、各デシジョンメトリックと閾値を比較して各データフレームを区分する。一実施形態として、判断部６２０は、データフレームのメトリックの中でその値の差が最小になる２つの値の中間値に各閾値を設定してもよい。
【００７５】
フレーム識別部６３０は、判断部６２０で判断された各データフレームに適用されたコンステレーションマッピング方式にしたがってデータフレームを区分する。
【００７６】
図７は、本発明の一実施形態に係るデータフレーム区分方法をステップ別に示すフローチャートである。
【００７７】
ステップＳ７３０において、データ送信装置７１０は第１データフレームに第１コンステレーションマッピング方式を適用する。
一実施形態として、第１コンステレーションマッピング方式は、図１〜図３に示したＢＰＳＫコンステレーションマッピング方式、ＱＢＰＳＫコンステレーションマッピング方式、＋４５度ＢＰＳＫコンステレーションマッピング方式、−４５度ＢＰＳＫコンステレーションマッピング方式、及びＡＢＰＳＫコンステレーションマッピング方式の中からの１つを含む。
【００７８】
ステップＳ７４０において、データ送信装置７１０は第１コンステレーションマッピング方式が適用された第１データフレームをデータ受信装置７２０に送信する。
【００７９】
ステップＳ７５０において、データ受信装置７２０はデータ送信装置７１０から第１コンステレーションマッピング方式が適用された第１データフレームを受信するだけではなく、第２コンステレーションマッピング方式が適用された第２データフレームを第２データ送信装置から受信してもよい。
【００８０】
一実施形態として、データ送信装置７１０は、第１データフレームの中で一部の時間区間にだけ第１コンステレーションマッピング方式を適用してもよい。この場合、第１データフレームと第２データフレームで各コンステレーションマッピング方式が適用された時間区間は互いに対応したり、同一であってもよい。
【００８１】
ステップＳ７６０において、データ受信装置７２０は各データフレームに適用されたコンステレーションマッピング方式を判断する。一実施形態として、データ受信装置７２０は、各データフレームに対しデシジョンメトリックを個別に生成し、生成されたデシジョンメトリックを所定の閾値と比較して各データフレームに適用されたコンステレーションマッピング方式を判断する。
【００８２】
一実施形態として、データ受信装置７２０は、式（１）〜式（３）を参照して上述したように、データフレームの一部を互いに加算的に結合したり相殺的に結合してメトリックを生成してもよい。データ受信装置７２０は、生成されたメトリックを組み合わせてデシジョンメトリックを生成し、各デシジョンメトリックと閾値を比較して各データフレームを区分する。
【００８３】
ステップＳ７７０において、データ受信装置は、各データフレームに適用されたコンステレーションマッピング方式にしたがってデータフレームを区分する。
【００８４】
例えば、受信したデータフレームにＢＰＳＫコンステレーションマッピング方式が適用されている場合に、データ受信装置７２０は受信したデータフレームが８０２．１１ａ送信標準によるレガシーデータフレームであると判断する。また、受信したデータフレームにＱＢＰＳＫコンステレーションマッピング方式が適用されている場合、データ受信装置７２０は受信データフレームが８０２．１１ｎ送信標準によるＨＴ−ｍｉｘｅｄデータフレームであると判断する。また、受信したデータフレームにＡＢＰＳＫコンステレーションマッピング方式が適用されている場合、データ受信装置７２０は受信データフレームが８０２．１１ａｃ送信標準によるＶＨＴ−ｍｉｘｅｄデータフレームであると判断する。
【００８５】
本発明の実施形態に係るデータフレーム区分方法は、多様な動作を実行するためのプログラム命令を含むコンピュータ読取可能な記録媒体に書き込まれ記憶されても良い。当該記録媒体は、プログラム命令、データファイル、データ構造などを単独または組み合わせて含むこともでき、記録媒体およびプログラム命令は、本発明の目的のために特別に設計されて構成されたものでもよく、コンピュータソフトウェア分野の技術を有する当業者にとって公知であり使用可能なものであってもよい。
【００８６】
尚、本発明は、上述の実施形態に限られるものではない。本発明の技術的範囲から逸脱しない範囲内で多様に変更実施することが可能である。
【符号の説明】
【００８７】
５００、７１０    データ送信装置
５１０    コンステレーションマッピング部
５２０    送信部
５４０、６００、７２０    データ受信装置
６１０    受信部
６２０    判断部
６３０    フレーム識別部
【図１】
2011103654.tif 000007
【図２】
2011103654.tif 000008
【図３】
2011103654.tif 000009
【図４】
2011103654.tif 000010
【図５】
2011103654.tif 000011
【図６】
2011103654.tif 000012
【図７】
2011103654.tif 000013